(57)【要約】【課題】フィルタの随時の掃除を不要とし、フィルタが目詰まりしないようにフィルタに付着した塵埃を除去することができる集塵機構を提供する。【解決手段】筐体４の吸気孔１４に設けた吸気フィルタ１５を通して排気孔８から外気を排出するファン１０を有し、筐体４の一面に形成された吸気孔１４及び塵埃案内孔１６と、筐体４の外面を移動可能であり、吸気フィルタ１５に付着した塵埃を除去して集める矩形筒状の集塵筒２０とを備える。集塵筒２０は、一方に吸気孔１４に連通可能な外気送出孔２４と、他方に塵埃案内孔１６に連通可能な塵埃排出孔２６と、外気送出孔２４に近接して外気を導入する集塵筒用吸気孔２８とを有しており、外気送出孔２４又は塵埃排出孔２６が連通時、それぞれ対応して塵埃排出孔２６又は外気送出孔２４が筐体４の外面に当接して塞がれるようにしてある。【選択図】図８
2008170808.tif 000002
【特許請求の範囲】
【請求項１】
筐体の吸気孔を覆って設けられたフィルタと、該フィルタを通して該筐体の排気孔から空気を排出するファンとを備える集塵機構において、
前記筐体に設けてあり、塵埃を前記排気孔に案内する塵埃案内孔と、
前記フィルタに付着した塵埃を除去して集める集塵筒と
を備え、
該集塵筒は、
一端部を閉塞してあり、
他端部に設けてあり、外気を導入する第１開口部と、
前記筐体に対向する前記他端部側の面に設けてあり、前記吸気孔に連通可能な第２開口部と、
前記筐体に対向する前記一端部側の面に設けてあり、前記塵埃案内孔に連通可能な第３開口部と
を有し、
前記第２開口部の連通時、前記第３開口部が前記筐体に当接して塞がれ、
前記第３開口部の連通時、前記第２開口部が前記筐体に当接して塞がれるように構成してあることを特徴とする集塵機構。
【請求項２】
前記筐体に形成された凹部を有し、該凹部に前記集塵筒が嵌合するようにしてあり、
前記凹部は、前記集塵筒を支持し、かつ、案内する支持案内溝を有し、
前記集塵筒は、前記凹部に対向する面の端部に前記支持案内溝に嵌合する弾性変形可能な凸部を有することを特徴とする請求項１に記載の集塵機構。
【請求項３】
前記凸部は、前記支持案内溝の一溝端又は他溝端と当接して前記集塵筒の移動範囲を制限してあることを特徴とする請求項２に記載の集塵機構。
【請求項４】
前記支持案内溝の一溝端に前記凸部が当接し、前記吸気孔と前記第２開口部とが連通して、前記フィルタを通して前記第１開口部から前記排気孔に至る集塵用風路を形成するようにしてあることを特徴とする請求項２又は３に記載の集塵機構。
【請求項５】
前記支持案内溝の他溝端に前記凸部が当接し、前記塵埃案内孔と前記第３開口部とが連通して、前記塵埃案内孔を通して前記第１開口部から前記排気孔に至る塵埃排出用風路を形成するようにしてあることを特徴とする請求項２又は３に記載の集塵機構。
【請求項６】
塵埃除去突起が前記第２開口部の周縁に設けてあり、
前記集塵筒は、前記塵埃除去突起が前記フィルタに当接するようにしてあることを特徴とする請求項１乃至３のいずれか一つに記載の集塵機構。
【請求項７】
前記集塵筒は前記筐体に対向する面にラックを有し、
前記筐体内に、
前記ファンを駆動する第１駆動部と、
前記筐体より外方へ覗かせてあり、前記ラックと螺合するピニオンと、
該ピニオンを回動させる第２駆動部と、
前記第１駆動部の駆動及び前記第２駆動部の回動を制御する制御部と
を備え、
該制御部は、
前記第１駆動部の駆動により前記ファンを回転させて前記第１開口部から外気を導入し、
前記第２駆動部の回動により前記集塵筒を移動させて、前記吸気孔と前記第２開口部とを連通させ、前記フィルタが集塵するようにしてあることを特徴とする請求項１乃至４のいずれか一つに記載の集塵機構。
【請求項８】
前記制御部は、前記第２駆動部の回動により前記集塵筒を移動させて、前記塵埃案内孔と前記第３開口部とを連通させ、該塵埃案内孔を通して前記排気孔から前記集塵筒の塵埃を排出するようにしてあることを特徴とする請求項７に記載の集塵機構。
【請求項９】
請求項１乃至８のいずれか一つに記載の集塵機構を備える投射型映像表示装置。
【請求項１０】
前記ファンの回転と共に、前記集塵用風路を形成し、
映写終了後に、前記塵埃排出用風路を形成するように構成してあることを特徴とする請求項９に記載の投射型映像表示装置。
【請求項１１】
前記筐体は投射レンズを有し、
前記集塵筒は、前記投射レンズを遮蔽して保護するレンズカバーを一体として有することを特徴とする請求項９又は１０に記載の投射型映像表示装置。
【請求項１２】
前記レンズカバーは弾性変形可能なピンが立設されており、
該ピンが嵌合して前記レンズカバーの該ピンを案内する案内溝が、前記筐体に設けられていることを特徴とする請求項１１に記載の投射型映像表示装置。
【請求項１３】
前記ピンは前記案内溝の一溝端又は他溝端に当接して前記レンズカバーの移動を禁止するようにしてあることを特徴とする請求項１２に記載の投射型映像表示装置。
【請求項１４】
前記ファンのスイッチは前記投射レンズと並設されてあり、
前記レンズカバーは、
前記一溝端で前記投射レンズを遮蔽し、かつ、前記スイッチを遮蔽解除し、
前記他溝端で前記投射レンズを遮蔽解除し、かつ、前記スイッチを遮蔽するように構成してあることを特徴とする請求項１１乃至１３のいずれか一つに記載の投射型映像表示装置。
【請求項１５】
請求項１乃至８のいずれか一つに記載の集塵機構を備える電子機器。
【発明の詳細な説明】
【技術分野】
【０００１】
本発明は、電子機器に侵入する塵埃を除去する集塵機構並びに該集塵機構を備える投射型映像表示装置及び電子機器に関する。
【背景技術】
【０００２】
従来、パーソナルコンピュータ及びプロジェクター等の電子機器には、部品を冷却するために排熱用のファンが設けられている。
特に、プロジェクターでは、光源に用いられる高輝度放電灯が、点灯時には、発光に伴い高温（最も高温になる部分で約１０００℃）になるので、プロジェクター筐体内に空気を通過させて光源を冷却するようにしている。
このようなプロジェクターは、塵埃を取り除くためのメッシュ状のエアフィルタを介して空気（外気）を導入しているが、エアフィルタは時間の経過とともに塵埃が蓄積され、目詰まりとなり、導入する空気量が減少し、冷却効率が低下する。
【０００３】
この種の塵埃が蓄積する問題に対して以下の提案がある。
特許文献１に示す例では、エアフィルタが集塵して汚れた場合、冷却用の空気が十分に流入しなくなるため、電子機器内部の温度が上昇し、温度センサが温度上昇を検知した場合、検知結果が判別回路に送られ、検知結果が所定温度より高いと判別された場合、タイマーに動作開始を告げる動作開始信号を送り、タイマーは所定時間だけモータを回転駆動させることで、エアフィルタ巻き取りロールを回転させ、汚れたエアフィルタが巻き取られて、エアフィルタの交換が行われるようになっている。
【０００４】
特許文献２に示す例では、筺体の底部に冷却ファンを設け、ファンの近傍にファンに対向させて円形の塵埃濾過フィルタを偏心させて設けており、中心を軸で回動可能に軸支して、軸の位置をファンの羽根の回転範囲（風路）外に設け、目詰まりした場合に適宜に回転させ、目詰まりしていない箇所を順次使用するようにしている。
【特許文献１】特開平８−１５２２４２号公報
【特許文献２】特開平９−２００６６４号公報
【発明の開示】
【発明が解決しようとする課題】
【０００５】
しかしながら従来の特許文献１及び２では、フィルタに塵埃が付着して目詰まりする状態になってからフィルタを交換しており、フィルタが目詰まりしないようにする技術は開示されていない。
また、従来、フィルタが目詰まりしないようにするためには、フィルタを随時掃除することが必要であった。
したがって、フィルタで集塵し、フィルタに付着した塵埃を除去する集塵機構としては、フィルタを随時掃除しなくても、フィルタが目詰まりしないような構造が求められていた。
【０００６】
本発明は、このような事情に鑑みてなされたものであって、その目的とするところは、筐体に集塵筒を設けて、集塵筒がフィルタに付着した塵埃を除去して集め、ファンにより排気孔から排出する構成を備えることにより、フィルタの随時の掃除を不要とし、フィルタが目詰まりしないようにフィルタに付着した塵埃を除去することができる集塵機構を提供することにある。
【０００７】
また本発明の他の目的とするところは、筐体に形成された凹部を集塵筒の案内路とする構成を備えることにより、集塵筒を筐体の凹部に沿って案内してフィルタに付着した塵埃を除去することができる集塵機構を提供することにある。
【０００８】
本発明の他の目的とするところは、集塵筒の凸部と筐体凹部の支持案内溝の溝端とが当接して集塵筒の移動範囲を制限する構成を備えることにより、集塵筒の正逆の移動を移動範囲内に制限してフィルタに付着した塵埃を除去することができる集塵機構を提供することにある。
【０００９】
本発明の他の目的とするところは、筐体凹部に形成されている支持案内溝の一溝端に集塵筒の凸部が当接し、筐体の吸気孔と集塵筒の第２開口部とが連通して集塵用風路を形成する構成を備えることにより、筐体吸気孔のフィルタにより集塵することができる集塵機構を提供することにある。
【００１０】
本発明の他の目的とするところは、筐体凹部に形成されている支持案内溝の他溝端に集塵筒の凸部が当接し、筐体の塵埃案内孔と集塵筒の第３開口部とが連通して塵埃排出用風路を形成する構成を備えることにより、集塵筒の塵埃を外気と共に筐体排気孔から排出することができる集塵機構を提供することにある。
【００１１】
本発明の他の目的とするところは、集塵筒の塵埃除去突起を第２開口部の周縁に備えることにより、塵埃除去突起が吸気孔のフィルタに当接して付着した塵埃を除去し、集塵筒が塵埃を集めることができる集塵機構を提供することにある。
【００１２】
本発明の他の目的とするところは、ファンを回転させ、集塵筒を移動させる制御部を備えることにより、筐体の吸気孔と集塵筒の第２開口部とを連通させて集塵用風路を形成し、筐体吸気孔のフィルタにより集塵することができる集塵機構を提供することにある。
【００１３】
本発明の他の目的とするところは、ファンを回転させ、集塵筒を移動させる制御部を備えることにより、筐体の塵埃案内孔と集塵筒の第３開口部とを連通させて塵埃排出用風路を形成し、集塵筒の塵埃を筐体排気孔から外気とともに排出することができる集塵機構を提供することにある。
【００１４】
本発明の他の目的とするところは、本発明の集塵機構を備えることにより、映写終了後ごとにフィルタの塵埃を除去することができる投射型映像表示装置を提供することにある。
【００１５】
本発明の他の目的とするところは、ファンの回転と共に集塵用風路を形成してフィルタで集塵し、映写終了後に塵埃排出用風路を形成して排気孔から塵埃を排出する構成を備えることにより、フィルタが目詰まりせず、光源の冷却効率がよい投射型映像表示装置を提供することにある。
【００１６】
本発明の他の目的とするところは、集塵筒と一体となって投射レンズを遮蔽可能なレンズカバーを備えることにより、映写終了後のレンズカバーの遮蔽動作と併せて集塵筒を移動させることができ、集塵筒がフィルタに付着した塵埃を除去して集めることができる投射型映像表示装置を提供することにある。
【００１７】
本発明の他の目的とするところは、レンズカバーに立設した弾性変形可能なピンが、レンズカバーを案内する案内溝に嵌合する構成を備えることにより、集塵筒を筐体の凹部に嵌合させるときに併せて、レンズカバーのピンを案内溝に嵌合させることができ、レンズカバーが案内溝に案内されているとき、集塵筒がフィルタに付着した塵埃を除去して集めることができる投射型映像表示装置を提供することにある。
【００１８】
本発明の他の目的とするところは、レンズカバーの移動を案内溝の一溝端又は他溝端で禁止するピンを備えることにより、案内溝の両溝端でレンズカバーの移動を禁止して集塵用風路又は塵埃排出用風路を形成することができ、フィルタが集塵後、集塵筒がフィルタに付着した塵埃を除去して集めることができる投射型映像表示装置を提供することにある。
【００１９】
本発明の他の目的とするところは、ファンのスイッチを投射レンズと並設し、レンズカバーが投射レンズを遮蔽したことに対応して、ファンのスイッチ操作が可能になる構成を備えることにより、レンズカバーを遮蔽した後でないとファンを停止することができず、ファンのスイッチの入れ忘れのない投射型映像表示装置を提供することにある。
【００２０】
本発明の他の目的とするところは、本発明の集塵機構を備えることにより、動作終了後ごとに、フィルタの塵埃を除去することができる電子機器を提供することにある。
【課題を解決するための手段】
【００２１】
本発明の集塵機構は、筐体の吸気孔を覆って設けられたフィルタと、該フィルタを通して該筐体の排気孔から空気を排出するファンとを備える集塵機構において、前記筐体に設けてあり、塵埃を前記排気孔に案内する塵埃案内孔と、前記フィルタに付着した塵埃を除去して集める集塵筒とを備え、該集塵筒は、一端部を閉塞してあり、他端部に設けてあり、外気を導入する第１開口部と、前記筐体に対向する前記他端部側の面に設けてあり、前記吸気孔に連通可能な第２開口部と、前記筐体に対向する前記一端部側の面に設けてあり、前記塵埃案内孔に連通可能な第３開口部とを有し、前記第２開口部の連通時、前記第３開口部が前記筐体に当接して塞がれ、前記第３開口部の連通時、前記第２開口部が前記筐体に当接して塞がれるように構成してあることを特徴とする。
【００２２】
このような構成の本発明の集塵機構は、筐体の塵埃案内孔と集塵筒の第３開口部とが連通して、筐体が第２開口部を塞いでいる状態から、筐体の吸気孔と集塵筒の第２開口部とが連通する方向に集塵筒が移動して、筐体の吸気孔に集塵筒の第２開口部が連通したとき、第３開口部が筐体に当接し、筐体が第３開口部を塞ぐ。ファンが筐体の排気孔から空気を排出することにより筐体内を負圧にして、集塵筒の第１開口部から外気を導入し、第１開口部、吸気孔及びフィルタを通して排気孔から外気を排出する。第１開口部から外気導入に伴い、フィルタが集塵し、塵埃がフィルタに蓄積する。集塵筒が逆方向へ移動するに伴い、集塵筒がフィルタに付着した塵埃を除去し集める。筐体の塵埃案内孔に集塵筒の第３開口部が連通したとき、第２開口部が筐体に当接し、筐体が第２開口部を塞ぐ。ファンが筐体の排気孔から空気を排出することにより集塵筒内を負圧にして、第１開口部から外気を導入し、第３開口部及び塵埃案内孔を通して外気とともに塵埃を排気孔から排出する。
【００２３】
本発明の集塵機構は、前記筐体に形成された凹部を有し、該凹部に前記集塵筒が嵌合するようにしてあり、前記凹部は、前記集塵筒を支持し、かつ、案内する支持案内溝を有し、前記集塵筒は、前記凹部に対向する面の端部に前記支持案内溝に嵌合する弾性変形可能な凸部を有することを特徴とする。
【００２４】
このような構成の本発明の集塵機構は、集塵筒を筐体の凹部に押し当てると、集塵筒の凹部に対向する面の凸部が弾性変形し、凸部が支持案内溝に嵌り、凸部が原形に復帰して、集塵筒が凹部に嵌る。支持案内溝が集塵筒の凸部を支持して案内し、集塵筒が筐体の凹部を移動する。
【００２５】
本発明の集塵機構は、前記凸部は、前記支持案内溝の一溝端又は他溝端と当接して前記集塵筒の移動範囲を制限してあることを特徴とする。
【００２６】
このような構成の本発明の集塵機構は、集塵筒が正逆に移動範囲内で筐体の凹部を移動する。
【００２７】
本発明の集塵機構は、前記支持案内溝の一溝端に前記凸部が当接し、前記吸気孔と前記第２開口部とが連通して、前記フィルタを通して前記第１開口部から前記排気孔に至る集塵用風路を形成するようにしてあることを特徴とする。
【００２８】
このような構成の本発明の集塵機構は、集塵筒が筐体の凹部を移動して、支持案内溝の一溝端に集塵筒の凸部が当接し、筐体の吸気孔に集塵筒の第２開口部が連通して、筐体が第３開口部を塞ぎ、フィルタを通して第１開口部から排気孔に至る集塵用風路を形成する。
【００２９】
本発明の集塵機構は、前記支持案内溝の他溝端に前記凸部が当接し、前記塵埃案内孔と前記第３開口部とが連通して、前記塵埃案内孔を通して前記第１開口部から前記排気孔に至る塵埃排出用風路を形成するようにしてあることを特徴とする。
【００３０】
このような構成の本発明の集塵機構は、集塵筒が筐体の凹部を逆方向へ移動して、支持案内溝の他溝端に集塵筒の凸部が当接し、筐体の塵埃案内孔に集塵筒の第３開口部が連通して、筐体が第２開口部を塞ぎ、集塵筒に導入した外気と共に塵埃を案内する塵埃案内孔を通して第１開口部から排気孔に至る塵埃排出用風路を形成する。
【００３１】
本発明の集塵機構は、塵埃除去突起が前記第２開口部の周縁に設けてあり、前記集塵筒は、前記塵埃除去突起が前記フィルタに当接するようにしてあることを特徴とする。
【００３２】
このような構成の本発明の集塵機構は、集塵筒が筐体を移動するに伴い、塵埃除去突起がフィルタに当接して付着していた塵埃を除去する。除去した塵埃を集塵筒が集める。
【００３３】
本発明の集塵機構は、前記集塵筒は前記筐体に対向する面にラックを有し、前記筐体内に、前記ファンを駆動する第１駆動部と、前記筐体より外方へ覗かせてあり、前記ラックと螺合するピニオンと、該ピニオンを回動させる第２駆動部と、前記第１駆動部の駆動及び前記第２駆動部の回動を制御する制御部とを備え、該制御部は、前記第１駆動部の駆動により前記ファンを回転させて前記第１開口部から外気を導入し、前記第２駆動部の回動により前記集塵筒を移動させて、前記吸気孔と前記第２開口部とを連通させ、前記フィルタが集塵するようにしてあることを特徴とする。
【００３４】
このような構成の本発明の集塵機構は、制御部は、第１駆動部の駆動により、ファンが回転し、第２駆動部の回動により、回転するピニオンに螺合するラックが回転運動を直線運動に変換して集塵筒が移動し、吸気孔と第２開口部とが連通して、筐体が第３開口部を塞いで集塵用風路を形成し、第１開口部から外気を導入して、第２開口部及び吸気孔を通して、フィルタが集塵する。
【００３５】
本発明の集塵機構は、前記制御部は、前記第２駆動部の回動により前記集塵筒を移動させて、前記塵埃案内孔と前記第３開口部とを連通させ、該塵埃案内孔を通して前記排気孔から前記集塵筒の塵埃を排出するようにしてあることを特徴とする。
【００３６】
このような構成の本発明の集塵機構は、制御部が第２駆動部の回動により、逆回転するピニオンに螺合するラックが回転運動を直線運動に変換して、集塵筒が逆方向へ移動して、塵埃案内孔と第３開口部とが連通し、筐体が第２開口部を塞いで塵埃排出用風路を形成し、第１開口部から外気を導入して、第３開口部及び塵埃案内孔を通して、排気孔から集塵筒の塵埃を排出する。
【００３７】
本発明の投射型映像表示装置は、前述のいずれか一つに記載の集塵機構を備えることを特徴とする。
【００３８】
このような構成の本発明の投射型映像表示装置は、使用開始するとき、筐体の塵埃案内孔と集塵筒の第３開口部とが連通して、筐体が第２開口部を塞いでいる状態から、制御部は第２駆動部の回動により、筐体の吸気孔と集塵筒の第２開口部とが連通する方向に集塵筒が移動し、筐体が第３開口部を塞ぎ、吸気孔と第２開口部とが連通する。制御部は第１駆動部の駆動により、ファンが回転して筐体の排気孔から空気を排出し、筐体内を負圧にして第１開口部から外気を導入し、第２開口部及び吸気孔を通してフィルタが集塵し、ファンが排気孔から排出する。制御部は、例えば投射型映像表示装置の光源駆動部のスイッチを制御することにより、光源が点灯し、映写する。映写中、制御部は第１駆動部の駆動により、ファンが回転して筐体の排気孔から空気を排出し、筐体内を負圧にして光源の冷却のために外気を第１開口部から導入して、第２開口部及び吸気孔を通してフィルタが集塵し、ファンが排気孔から外気と共に排熱する。
映写終了後に、制御部は、例えば光源駆動部のスイッチを制御することにより、光源を消灯し、所定時間経過後、第１駆動部の駆動によりファンが停止する。制御部は第２駆動部の回動により、集塵筒が逆方向へ移動してフィルタの塵埃を除去し集めて停止する。このとき、筐体が第２開口部を塞ぎ、第３開口部と塵埃案内孔とが連通する。制御部は、第１駆動部の駆動により、ファンが回転して筐体の排気孔から空気を排出し、集塵筒を負圧にして第１開口部から外気を集塵筒に導入し、第３開口部及び塵埃案内孔を通して、集めた塵埃をファンが排気孔から外気と共に排出する。
したがって、本発明の投射型映像表示装置は、映写終了後ごとにフィルタの塵埃を除去する。
【００３９】
本発明の投射型映像表示装置は、前記ファンの回転と共に、前記集塵用風路を形成し、映写終了後に、前記塵埃排出用風路を形成するように構成してあることを特徴とする。
【００４０】
このような構成の本発明の投射型映像表示装置は、ファンが回転したとき、筐体の塵埃案内孔と集塵筒の第３開口部とが連通して、筐体が第２開口部を塞いでいる状態から、筐体の吸気孔と集塵筒の第２開口部とが連通する方向に集塵筒が移動して、吸気孔と第２開口部とが連通する。ファンが筐体の排気孔から空気を排出することにより筐体内を負圧にして第１開口部から外気を導入し、第２開口部及び吸気孔を通してフィルタが集塵し、排気孔から外気を排出する集塵用風路を形成し、光源を空冷する。
映写終了後に、集塵筒が逆方向へ移動して、塵埃案内孔と第３開口部とが連通する。ファンが筐体の排気孔から空気を排出することにより集塵筒内を負圧にして第１開口部から外気を導入し、第３開口部及び塵埃案内孔を通して排気孔から塵埃を外気と共に排出する塵埃排出用風路を形成する。
【００４１】
本発明の投射型映像表示装置は、前記筐体は投射レンズを有し、前記集塵筒は、前記投射レンズを遮蔽して保護するレンズカバーを一体として有することを特徴とする。
【００４２】
このような構成の本発明の投射型映像表示装置は、例えば映写終了後に、投射レンズを保護するためにレンズカバーで遮蔽していくと、レンズカバーによる遮蔽動作と併せて集塵筒が移動し、フィルタに付着した塵埃を除去し、集塵筒が塵埃を集める。
本発明の投射型映像表示装置では、レンズカバーによる投射レンズの遮蔽解除状態又は遮蔽状態に対応して、吸気孔及び第２開口部の連通又は塵埃案内孔及び第３開口部の連通に一致させ、集塵用風路又は塵埃排出用風路を形成する。レンズカバーが投射レンズを遮蔽しているときに、集塵用風路を形成し、ファンが筐体の排気孔から空気を排出することにより筐体内を負圧にして、第１開口部から外気を導入してフィルタが集塵する。レンズカバーが投射レンズを遮蔽していくときに、集塵筒が移動してフィルタの塵埃を除去して集める。レンズカバーが投射レンズを遮蔽したときに、塵埃排出用風路を形成し、ファンが集塵筒を負圧にして、第１開口部から外気を導入して塵埃を排気孔から排出する。
集塵筒は集塵用風路又は塵埃排出用風路の形成に対応して反復移動する。
【００４３】
本発明の投射型映像表示装置は、前記レンズカバーは弾性変形可能なピンが立設されており、該ピンが嵌合して前記レンズカバーの該ピンを案内する案内溝が、前記筐体に設けられていることを特徴とする。
【００４４】
このような構成の本発明の投射型映像表示装置は、レンズカバーと一体の集塵筒を筐体の凹部に押し当てたとき、集塵筒の凹部に対向する面に有する凸部が弾性変形し、凹部の支持案内溝に嵌り、原形に復帰する。このとき、レンズカバーのピンが筐体に当接して弾性変形し、筐体の案内溝に嵌り、原形に復帰する。支持案内溝が集塵筒を支持して案内すると共に、案内溝がピンの移動範囲内でレンズカバーを案内する。
【００４５】
本発明の投射型映像表示装置は、前記ピンは前記案内溝の一溝端又は他溝端に当接して前記レンズカバーの移動を禁止するようにしてあることを特徴とする。
【００４６】
このような構成の本発明の投射型映像表示装置では、ピンが案内溝の両溝端のいずれかと当接してレンズカバーの移動を禁止する。
【００４７】
本発明の投射型映像表示装置は、前記ファンのスイッチは前記投射レンズと並設されてあり、前記レンズカバーは、前記一溝端で前記投射レンズを遮蔽し、かつ、前記スイッチを遮蔽解除し、前記他溝端で前記投射レンズを遮蔽解除し、かつ、前記スイッチを遮蔽するように構成してあることを特徴とする
【００４８】
このような構成の本発明の投射型映像表示装置では、映写時にレンズカバーがファンのスイッチを遮蔽して、スイッチの操作が不能であり、映写終了後にレンズカバーが移動して投射レンズを遮蔽すると、ファンのスイッチの遮蔽が無くなり、スイッチの操作が可能になる。
【００４９】
本発明の電子機器は、いずれか一つに記載の本発明の集塵機構を備えることを特徴とする。
【００５０】
このような構成の本発明の電子機器では、ファンで筐体内を負圧にして、外気を第１開口部から導入して、吸気孔のフィルタで集塵し、排気孔から外気を排出する。動作終了後に、集塵筒が移動してフィルタに付着した塵埃を除去して集める。ファンが集塵筒を負圧にして、集塵筒に第１開口部から外気を導入し、集めた塵埃を排気孔から排出する。
したがって、本発明の電子機器では、動作終了後ごとにフィルタの塵埃を除去する。
【発明の効果】
【００５１】
本発明の集塵機構は、筐体に集塵筒を設けて、集塵筒がフィルタに付着した塵埃を除去して集め、ファンにより排気孔から排出するので、フィルタが目詰まりしないという効果を有する。
したがって、本発明の集塵機構は随時に掃除する必要がなくなる。
【００５２】
本発明の集塵機構は、筐体に形成された凹部を集塵筒の案内路としているので、集塵筒を筐体の凹部に沿って案内してフィルタに付着した塵埃を除去することができるという効果を有する。
【００５３】
本発明の集塵機構は、集塵筒の凸部と筐体凹部の支持案内溝の溝端とが当接して集塵筒の移動範囲を制限しているので、集塵筒の正逆の移動を移動範囲内に制限してフィルタに付着した塵埃を除去することができるという効果を有する。
【００５４】
本発明の集塵機構は、筐体凹部に形成されている支持案内溝の一溝端で集塵筒の凸部が当接し、筐体の吸気孔と集塵筒の第２開口部とが連通して集塵用風路を形成しているので、筐体吸気孔のフィルタにより集塵することができるという効果を有する。
【００５５】
本発明の集塵機構は、集塵筒を支持して移動範囲を制限する支持案内溝の他溝端で集塵筒の凸部が当接し、筐体の塵埃案内孔と集塵筒の第３開口部とが連通して塵埃排出用風路を形成しているので、集塵筒の塵埃を外気と共に筐体排気孔から排出することができるという効果を有する。
【００５６】
本発明の集塵機構は、集塵筒の塵埃除去突起を第２開口部の周縁に設けてあるので、塵埃除去突起が吸気孔のフィルタに当接して付着した塵埃を除去し、集塵筒が塵埃を集めることができるという効果を有する。
【００５７】
本発明の集塵機構は、ファンを回転させ、集塵筒を移動させる制御部を備えているので、筐体の吸気孔と集塵筒の第２開口部とを連通させて集塵用風路を形成し、筐体吸気孔のフィルタにより集塵することができるという効果を有する。
【００５８】
本発明の集塵機構は、ファンを回転させ、集塵筒を移動させる制御部を備えているので、筐体の塵埃案内孔と集塵筒の第３開口部とを連通させて塵埃排出用風路を形成し、集塵筒の塵埃を排気孔から外気とともに排出することができるという効果を有する。
【００５９】
本発明の投射型映像表示装置は、前述の本発明の集塵機構を備えているので、映写終了後ごとにフィルタの塵埃を除去することができるという効果を有する。
【００６０】
本発明の投射型映像表示装置は、ファンの回転と共に集塵用風路を形成してフィルタで集塵し、映写終了後に塵埃排出用風路を形成して排気孔から塵埃を排出しているので、フィルタが目詰まりせず、光源の冷却効率がよいという効果を有する。
したがって、本発明の投射型映像表示装置は、フィルタを随時に掃除する必要がなく、メンテナンスフリーになる。また集塵用風路及び塵埃排出用風路という異なる風路を形成しても、新たなファンを設置する必要がなくなり、投射型映像表示装置筐体の小型化及びコストダウンを図ることができる。さらに、投射型映像表示装置の使用ごとにフィルタの塵埃を除去しているため、投射型映像表示装置動作時の光源の冷却効果を低減させることがなく、光源及び内部部品の長寿命化を図ることができる。
【００６１】
本発明の投射型映像表示装置は、集塵筒と一体となって投射レンズを遮蔽可能なレンズカバーを備えているので、映写終了後のレンズカバーの遮蔽動作と併せて集塵筒を移動させることができ、集塵筒がフィルタに付着した塵埃を除去して集めることができるという効果を有する。
【００６２】
本発明の投射型映像表示装置は、レンズカバーに立設した弾性変形可能なピンが、レンズカバーを案内する案内溝に嵌合する構成を備えているので、集塵筒を筐体の凹部に嵌合させるときに併せて、レンズカバーのピンを案内溝に嵌合させることができ、レンズカバーが案内溝に案内されているとき、集塵筒がフィルタに付着した塵埃を除去して集めることができるという効果を有する。
【００６３】
本発明の投射型映像表示装置は、レンズカバーの移動を案内溝の一溝端又は他溝端で禁止するピンを設けているので、案内溝の両溝端でレンズカバーの移動を禁止して集塵用風路又は塵埃排出用風路を形成することができ、フィルタが集塵後、集塵筒がフィルタに付着した塵埃を除去して集めることができるという効果を有する。
【００６４】
本発明の投射型映像表示装置は、ファンのスイッチを投射レンズと並設し、レンズカバーが投射レンズを遮蔽したことに対応して、ファンのスイッチ操作が可能になるようにしてあるので、レンズカバーを遮蔽した後でないとファンを停止することができないという効果を有する。さらに、使用開始時は、レンズカバーが投射レンズを遮蔽し、ファンのスイッチが操作可能になっており、ファンのスイッチを押してからレンズカバーを移動させるので、ファンのスイッチの入れ忘れということがない。
【００６５】
本発明の電子機器は、前述の本発明の集塵機構を備えているので、動作終了後ごとに、フィルタの塵埃を除去することができるという効果を有する。
【発明を実施するための最良の形態】
【００６６】
以下、図面に基づき、本発明による集塵機構の好適な実施の形態を説明する。本発明に係る実施の形態は、本発明の集塵機構を備える投射型映像表示装置を例に挙げて説明する。
（実施の形態１）
図１は実施の形態１に係る集塵機構を備える投射型映像表示装置を示す上方からの斜視図、図２は集塵筒を取り外した投射型映像表示装置の下面を示す下方からの斜視図、図３は集塵機構の一部を示す上方からの斜視図、図４は集塵筒を示す上方からの斜視図である。
なお、図３は図１の投射型映像表示装置２の上部筐体を取り外したものであり、光源及び光学系等は省略した。
【００６７】
投射型映像表示装置２は、平面視略矩形状の筐体４内に光源、集光光学系、映像表示部及び投射光学系等（図示せず）が収容されており、筐体４の前面に設けられている投射レンズ６から映写されるようになっている。投射型映像表示装置２は投射レンズ６側の前面下部の横並び二箇所及び後部の略中央の一箇所に投射映像の位置を調整するための脚５、５、５をそれぞれ備える。
矩形状の排気孔８が筐体４の側面３の略中央に格子状に設けられており、排気用のファン１０が排気孔８の筐体４の内側に設けられている。ファン１０は、筐体４内部に外気を吸気孔１４から導入して排気孔８から排出することにより、筐体４内に空気流を生じさせて発熱する光源を冷却するようにしている。
【００６８】
筐体４の一方の側面３から他方の側面７までの全幅に渡って、筐体４下面に凹字状の案内路１２が形成されている。案内路１２の前壁及び後壁に、後述する集塵筒２０をそれぞれ支持し、かつ、案内する支持案内溝２２ａ、２２ｂが形成されており、案内路１２は、矩形筒状の集塵筒２０を移動可能に嵌合するようにしてある。
案内路１２上面と対向する集塵筒２０の上面２３の後縁には、案内路１２後壁の支持案内溝２２ｂに沿って筐体４の側面３方向に伸びるラック２１が設けられている。
【００６９】
また案内路１２上面には、支持案内溝２２ｂの上部側に、矩形状の開口部１７が形成されており、ピニオン１９が開口部１７から一部露出して集塵筒２０のラック２１に螺合するようになっている。ピニオン１９は開口部１７近傍の筐体４内に配設されているモータ１８の駆動軸に取り付けられている。
【００７０】
筐体４の一方の側面３近くの案内路１２上面に、矩形状の塵埃案内孔１６が形成されており、筐体４の他方の側面７近くの案内路１２上面に、塵埃案内孔１６よりも広い矩形状の吸気孔１４が形成されている。吸気孔１４及び塵埃案内孔１６の幅は、案内路１２の幅と略同一になっている。図３に示すように、ファン１０の近傍で、塵埃案内孔１６が開口している。
矩形状の吸気フィルタ１５が、吸気孔１４を覆って筐体４内側に配設されており、吸気孔１４の縁部で支持されている。
【００７１】
集塵筒２０は合成樹脂で成型されており、図４に示すように、集塵筒２０の一方の端部２９は、その端部全域に、格子状の集塵筒用吸気孔２８（第１開口部）が設けられ、集塵筒２０の他方の端部３１は閉塞されている。
集塵筒２０は、筐体４の側面７側であって、上面２３の一端に吸気孔１４に対応する同寸かつ同形状の外気送出孔２４（第２開口部）を備え、筐体４の側面３側であって、同じ上面２３の他端に塵埃案内孔１６に対応する同寸かつ同形状の塵埃排出孔２６（第３開口部）を備える。
集塵筒２０の長さは、吸気孔１４の側面７側の縁から塵埃案内孔１６の側面３側の縁までの長さ以上あり、筐体４の吸気孔１４と集塵筒用吸気孔２８とが連通したとき、筐体４の側面３と集塵筒２０の端部３１とが面一になるようにしてある。さらに筐体４の案内路１２に集塵筒２０が嵌合したとき、集塵筒２０の下面が筐体４の外面と面一になるようにしてある。
【００７２】
集塵筒２０が案内路１２を移動して、筐体４の吸気孔１４と集塵筒用吸気孔２８とが連通したとき、吸気孔１４の周縁に当接する塵埃除去突起２５が、外気送出孔２４の周縁に、筒状に立設されている。集塵筒２０が案内路１２を逆方向へ移動して、筐体４の塵埃案内孔１６と集塵筒２０の塵埃排出孔２６とが連通したとき、塵埃案内孔１６の周縁に当接する当接部２７が、塵埃排出孔２６の周縁に筒状に立設されている。
塵埃除去突起２５及び当接部２７の高さは、ピニオン１９及びラック２１が螺合可能なクリアランスを確保して、等しい高さにしている。ピニオン１９及びラック２１は、モータ１８の駆動軸の回動運動を直線運動に変換して集塵筒２０を案内路１２に沿って往復移動させる。
【００７３】
集塵筒２０が案内路１２に嵌合したとき支持案内溝２２ａ、２２ｂにそれぞれ対向する面の両端に、弾性変形可能に形成された平面視Ｕ字状の舌部３０、３２が、それぞれ横並びに二個形成されており、各舌部３０、３０、３２、３２に円柱状のピン（凸部）３０ａ、３０ｂ、３２ａ、３２ｂが、それぞれ集塵筒２０の外向きに立設されている。
【００７４】
ピン３０ａ、３２ａが案内路１２の一方の支持案内溝２２ａに嵌合し、ピン３０ｂ、３２ｂが他方の支持案内溝２２ｂに嵌合するようにしてあり、集塵筒２０が支持案内溝２２ａ、２２ｂにより支持され摺動可能になっている。
各舌部３０、３２は、集塵筒２０の支持案内溝２２ａ、２２ｂに対向する面の両端に、横向きＵ字状の切れ目を入れたものであり、各Ｕ字状の舌部３０、３０、３２、３２の湾曲する箇所にピン３０ａ、３０ｂ、３２ａ、３２ｂが立設されて、弾性変形可能にしてある。
【００７５】
図５は実施の形態１に係る映写時の投射型映像表示装置を示す下方からの斜視図、図６は図５のＶＩ−ＶＩ断面図、図７は塵埃排出時の投射型映像表示装置を示す下方からの斜視図、図８は図７のＶＩＩＩ−ＶＩＩＩ断面図である。
投射型映像表示装置２の案内路１２に集塵筒２０が配設されたとき、集塵筒２０の下面３８と筐体４の下面４０、４０とは面一となり、均一な面を形成するようにしてある。
【００７６】
集塵筒２０のピン３２ａ、３２ｂが（図４を参照）、それぞれ支持案内溝２２ａ、２２ｂの一端４２ａ、４２ｂに当接したとき（図７を参照）、筐体４の一方の側面３と集塵筒２０の他方の端部３１とが面一となる（図５を参照）。
さらに、図６に示すように、筐体４側の吸気孔１４は、その周縁に塵埃除去突起２５が当接して集塵筒２０の外気送出孔２４と連通し、当接部２７が筐体４の下面に当接して、集塵筒２０の塵埃排出孔２６が筐体４の下面で塞がれる。
したがって、集塵筒用吸気孔２８から導入された外気は、外気送出孔２４、吸気孔１４及び吸気フィルタ１５を通り、ファン１０により排気孔８から光源の熱とともに排出される。このとき吸気フィルタ１５が集塵する。
このように形成された筐体４に外気を導入し集塵する風路は、集塵用風路という。
【００７７】
また、集塵筒２０のピン３０ａ、３０ｂが（図４参照）、それぞれ支持案内溝２２ａ、２２ｂの他端４４ａ、４４ｂに当接したとき（図５参照）、筐体４の他方の側面７と集塵筒２０の一方の端部２９とが面一となる（図７を参照）。
さらに、図８に示すように、筐体４側の塵埃案内孔１６は、その周縁に当接部２７が当接して集塵筒２０の塵埃排出孔２６と連通し、外気送出孔２４が筐体４の下面で塞がれる。
したがって、集塵筒用吸気孔２８から導入された外気は、塵埃排出孔２６及び塵埃案内孔１６を通り、ファン１０により排気孔８から集塵筒２０が集塵した塵埃とともに排出される。
このように形成された集塵筒２０内に外気を導入し塵埃を排出する風路は、塵埃排出用風路という。
【００７８】
次に実施の形態１の作用について説明する。
図９は実施の形態１に係る投射型映像表示装置の一部機能ブロック図、図１０は吸気フィルタによる集塵を示す模式図、図１１は吸気フィルタに付着した塵埃の除去を示す模式図、図１２は塵埃の排出を示す模式図である。なお、図９において投射型映像表示装置２の集光光学系及び映像表示部等の駆動制御部は省略した。
実施の形態１に係る投射型映像表示装置２は、使用開始時、集塵筒２０のピン３０ａ、３０ｂが、それぞれ支持案内溝２２ａ、２２ｂの他端４４ａ、４４ｂに当接して（図４及び図７を参照）、筐体４の側面７と集塵筒２０の端部２９とが面一になっている状態で停止している（この状態を「集塵終了位置」という、図７を参照）。
【００７９】
光源を点灯させて投射型映像表示装置２を使用している時は、集塵筒２０のピン３２ａ、３２ｂが、それぞれ支持案内溝２２ａ、２２ｂの一端４２ａ、４２ｂに当接して、筐体４の側面３と集塵筒２０の端部３１とが面一となって、筐体４の吸気孔１４と集塵筒２０の外気送出孔２４とが連通し、集塵筒用吸気孔２８から外気を導入してファン１０により排気孔８から排気可能になっている（この状態を「原点位置」という、図５を参照）。
【００８０】
実施の形態１に係る投射型映像表示装置２では、先ず、投射型映像表示装置２の操作部１のスタートボタンを押したとき（図１を参照）、制御部５０は、ダクトモータ駆動部５２（第２駆動部）を制御することにより、モータ１８を駆動してピニオン１９の回転により、ラック２１が直線運動をし、集塵筒２０が集塵終了位置から原点位置に戻って停止する。このとき、集塵筒２０の外気送出孔２４と吸気孔１４とが連通し、筐体４の下面が塵埃排出孔２６を塞いでいる（図６を参照）。
【００８１】
次に、制御部５０は、ファンモータ駆動部５４（第１駆動部）を制御することにより、ファンモータ（図示せず）を駆動して、ファン１０が筐体４内を負圧にして、集塵筒用吸気孔２８から外気を導入し、吸気フィルタ１５で集塵して筐体４内に外気を導入し、排気孔８から外気を排出する。なお、制御部５０は、操作部１のスタートボタンが押されたとき、ファンモータ駆動部５４を制御することにより、ファンモータを駆動するようにしてもよい。
【００８２】
次いで、制御部５０は、光源駆動部５６をパルス駆動制御することにより、光源（図示せず）が点灯し、集光光学系及び映像表示部等（図示せず）の駆動制御をして時系列に映像を投射レンズ６から映写し、スクリーン（図示せず）に表示する。このとき筐体４内に導入した外気が発熱する光源を冷却し、ファン１０が排気孔８から排熱する。
そして、図１０に示すように、筐体４内に導入した外気の塵埃Ｄが、吸気フィルタ１５に付着し、蓄積していく。
【００８３】
投射型映像表示装置２の映写が終了して光源が消灯し、所定時間経過後にファン１０が停止する。
次に、操作部１の終了ボタンを押したとき、制御部５０は、ダクトモータ駆動部５２を逆回転制御することにより、図１１に示すように、集塵筒２０が、原点位置から集塵終了位置に向けて移動していく（図１１の白矢印参照）。集塵筒２０が移動するにつれて、塵埃除去突起２５が、吸気フィルタ１５に当接して移動し、吸気フィルタ１５に付着していた塵埃Ｄを削り落としていく。
【００８４】
次いで、制御部５０は、集塵筒２０が集塵終了位置に達したとき、ダクトモータ駆動部５２を制御することにより、モータ１８が停止して集塵筒２０が停止する。このとき、集塵筒２０の塵埃排出孔２６と筐体４の塵埃案内孔１６とが連通し、外気送出孔２４は筐体４の下面で塞がれている（図８及び図１２を参照）。
そして、制御部５０は、ファンモータ駆動部５４を制御することにより、ファンモータを駆動し、ファン１０が排気孔８から空気を排出することにより集塵筒２０内を負圧にして、図８及び図１２の矢印で示すように、集塵筒用吸気孔２８から外気が流入し、塵埃Ｄが外気の流れに乗って塵埃排出孔２６を通して、ファン１０が排気孔８から外気とともに塵埃Ｄを排出する。
【００８５】
最後に、制御部５０は、集塵筒２０が集塵終了位置に到達してから所定時間経過後に、ファンモータ駆動部５４を制御することにより、ファンモータが停止してファン１０が停止する。
【００８６】
このように実施の形態１では、投射型映像表示装置２の映写終了後に集塵筒２０を起動して、吸気フィルタ１５に付着した塵埃Ｄを自動的に除去するので、吸気フィルタ１５が目詰まりせず、吸気フィルタ１５を随時に掃除する必要がない。
したがって、ユーザーによる吸気フィルタ１５の掃除を不要にするメンテナンスフリーの投射型映像表示装置２を実現することができる。
また、実施の形態１では、投射型映像表示装置２の動作時と吸気フィルタ１５の清掃時では、異なる風路を形成しているが、集塵筒２０を可動とすることにより、新たな排気用ファンを設置する必要がなくなり、筐体４の小型化及びコストダウンを図ることができる。
さらに実施の形態１では、投射型映像表示装置２の使用ごとに吸気フィルタ１５から塵埃Ｄを除去しているため、投射型映像表示装置２動作時の光源の冷却効率を低減させることがなく、光源及び内部部品の長寿命化を図ることができる。
【００８７】
（実施の形態２）
実施の形態１では、投射型映像表示装置２の使用開始時及び映写終了後に集塵筒を駆動するダクトモータを使用したが、実施の形態２では、投射型映像表示装置２の使用開始時及び映写終了後に手動で集塵筒を動かすようにしたものである。以下、実施の形態１と実質的に同一又は関連する部材には同一符号を付して説明する。
【００８８】
図１３は実施の形態２に係る集塵筒を示す上方からの斜視図、図１４は集塵筒を取り外した投射型映像表示装置の下面を示す下方からの斜視図である。
実施の形態２に係る集塵筒６０は、投射レンズ６を保護する側面視Ｌ字形の板状部材でなるレンズカバー６２を一体化したものであり、レンズカバー６２は集塵筒用吸気孔２８側に形成されている。
【００８９】
レンズカバー６２は、集塵筒６０の下面３８から延出された延出部６４の縁に投射レンズ６を保護するカバー部６６が立設されている。延出部６４及びカバー部６６は矩形状であり、延出部６４が筐体４の下面７２に当接しており、カバー部６６が投射レンズ６を遮蔽することが可能になっている（図１６参照）。
【００９０】
投射レンズ６と横並びにファン１０をオン・オフするファンスイッチ８０が設けられている。カバー部６６が投射レンズ６を遮蔽しているとき、ファンスイッチ８０がカバー部６６で遮蔽されず、ファン１０のファンスイッチ８０がオン・オフ操作可能であり（図１６を参照）、カバー部６６が投射レンズ６を遮蔽していないとき、ファンスイッチ８０がカバー部６６で遮蔽されて、オン・オフ操作不能になっている（図１５を参照）。ファンスイッチ８０をオフにしたとき、投射型映像表示装置２の電源が落ちるようにしてある。
【００９１】
延出部６４は、略中央に、弾性変形可能な舌部６８が形成されており、舌部６８に円柱状のピン７０が立設されている。舌部６８は延出部６４にＵ字状の切れ目を入れたものであり、Ｕ字状の湾曲する箇所にピン７０が立設され、弾性変形可能になっている。
レンズカバー６２を筐体４の外側に取り付け、案内するための案内溝７４が、投射型映像表示装置２の筐体４の下面７２に設けられている。案内溝７４の両端部に、凹部７６、７８が形成されており、集塵筒６０の移動に従ってレンズカバー６２のピン７０が案内溝７４の溝を押圧して摺動し、案内溝７４の各端部に到達したとき、ピン７０が各凹部７６、７８に嵌るようになっている。
【００９２】
図１５は実施の形態２に係る映写時の投射型映像表示装置を示す下方からの斜視図、図１６は塵埃排出時の投射型映像表示装置を示す下方からの斜視図である。
実施の形態２に係る投射型映像表示装置２では、使用開始時の集塵終了位置及び映写終了時の原点位置における集塵筒６０の状態が、実施の形態１と同様であるが、実施の形態２では、図１５に示すように、原点位置において、レンズカバー６２のピン７０が案内溝７４の凹部７６に嵌り、集塵終了位置において、図１６に示すように、レンズカバー６２のピン７０が案内溝７４の凹部７８に嵌って、レンズカバー６２が投射レンズ６を遮蔽して保護するようになっている。
したがって、実施の形態２では、案内溝７４によるレンズカバー６２の移動範囲と、支持案内溝２２ａ、２２ｂによる集塵筒６０の移動範囲とを同一にしてある。
【００９３】
次に実施の形態２の作用について説明する。
図１７は実施の形態２に係る吸気フィルタによる集塵を示す模式図、図１８は吸気フィルタに付着した塵埃の除去を示す模式図、図１９は塵埃の排出を示す模式図である。
実施の形態２に係る投射型映像表示装置２では、先ず、図１５及び図１６を参照して、投射レンズ６を遮蔽して保護しているレンズカバー６２を遮蔽解除する方向に手動で押していくとき、レンズカバー６２の舌部６８が弾性変形し、舌部６８のピン７０が案内溝７４の凹部７８から抜け出て、ピン７０が案内溝７４の溝を摺動する。
【００９４】
レンズカバー６２の移動に従い、集塵筒６０が支持案内溝２２ａ、２２ｂに案内されて移動し、集塵筒６０の両側部の各ピン３２ａ、３２ｂが各支持案内溝２２ａ、２２ｂの一端４２ａ、４２ｂに当接して、集塵筒６０が停止し、同時にレンズカバー６２のピン７０が案内溝７４の凹部７６に嵌る。このとき、筐体４の吸気孔１４が集塵筒６０の外気送出用の外気送出孔２４に連通し、筐体４の下面が塵埃排出孔２６を塞ぐ。
【００９５】
次に、図９を参照して、投射型映像表示装置２の操作部１（図１を参照）のスタートボタンを押したとき、制御部５０は、ファンモータ駆動部５４を制御することにより、ファンモータ（図示せず）を駆動し、ファン１０が筐体４内を負圧にして、集塵筒用吸気孔２８から外気を導入し、吸気フィルタ１５で集塵して筐体４内に外気を導入し、排気孔８から外気を排出する。なお、スタートボタンが押されたとき、制御部５０がファンモータ駆動部５４を制御することにより、ファンモータを駆動してから、レンズカバー６２を手動で移動させるようにしてもよい。
【００９６】
次いで、制御部５０は、光源駆動部５６をパルス駆動制御することにより、光源（図示せず）が点灯し、集光光学系及び映像表示部等（図示せず）の駆動制御をして時系列に映像を投射レンズ６から映写し、スクリーン（図示せず）に表示する。このとき筐体４内に導入した外気が発熱する光源を冷却し、ファン１０が排気孔８から排熱する。
そして、図１７に示すように、筐体４内に導入した外気の塵埃Ｄが、吸気フィルタ１５に付着し、蓄積していく。
【００９７】
投射型映像表示装置２の映写が終了したとき、制御部５０は、光源駆動部５６を制御することにより、光源が消灯し、所定時間経過後にファンモータ駆動部５４を制御することにより、ファン１０が停止する。
【００９８】
次に、レンズカバー６２が投射レンズ６を遮蔽する方向に手動で押していくとき、レンズカバー６２の舌部６８が弾性変形し、舌部６８のピン７０が案内溝７４の凹部７６から抜け出て、ピン７０が案内溝７４の溝を摺動する。
レンズカバー６２の移動に従い、集塵筒６０が、支持案内溝２２ａ、２２ｂに案内されて原点位置から集塵終了位置に向けて移動していく（図１８の白矢印参照）。集塵筒６０が移動するにつれて、図１８に示すように、塵埃除去突起２５が、吸気フィルタ１５に当接して移動し、吸気フィルタ１５に付着していた塵埃Ｄを集塵筒６０内に削り落としていく。
【００９９】
次いで、集塵筒６０が集塵終了位置に達したとき、レンズカバー６２のピン７０が案内溝７４の凹部７８に嵌って、レンズカバー６２が投射レンズ６を遮蔽して保護し、集塵筒６０の塵埃排出孔２６と筐体４の塵埃案内孔１６とが連通し、筐体４の下面が外気送出孔２４を塞ぐ（図１６及び図１９を参照）。このとき、レンズカバー６２の遮蔽がなくなり、ファンスイッチ８０が操作可能になっている。
【０１００】
そして、操作部１の終了ボタンを押したとき、制御部５０は、ファンモータ駆動部５４を制御することにより、ファンモータを駆動し、ファン１０が排気孔８から空気を排出することにより集塵筒６０内を負圧にして、図１９の矢印で示すように、集塵筒用吸気孔２８から外気が流入し、塵埃Ｄが外気の流れに乗って塵埃排出孔２６を通り、ファン１０が排気孔８から外気とともに塵埃Ｄを排出する。
【０１０１】
最後に、ファンスイッチ８０をオフにしたとき、ファン１０が停止して、投射型映像表示装置２の電源が落ちる。
【０１０２】
なお、所定時間経過後に、制御部５０は、ファンモータ駆動部５４を制御することにより、ファンモータを停止し、ファン１０が停止するようにしてもよい。
また映写終了後にファン１０を停止させ、塵埃排出時にファンモータを駆動してファン１０を回転させたが、映写終了後もファン１０を停止させずに、塵埃の排出が終了するまで回転させておき、最終的にファンスイッチ８０をオフにしてファン１０を停止させるようにしてもよい。
【０１０３】
このように実施の形態２では、投射型映像表示装置２の映写終了後、レンズカバー６２を遮蔽して投射レンズ６を保護する作業と併せて、集塵筒６０が吸気フィルタ１５に付着した塵埃Ｄを除去することができる。
したがって、実施の形態２では、投射レンズ６を保護するレンズカバー６２を集塵筒６０と一体化することにより、ダクトモータを利用しなくても、レンズカバー６２の遮蔽動作というユーザーの作業中に吸気フィルタ１５に付着した塵埃Ｄを除去することができる。さらに、ファン１０のファンスイッチ８０を投射レンズ６と並設し、レンズカバー６２が投射レンズ６を遮蔽したことに対応して、ファン１０のファンスイッチ８０を操作可能になるようにしてあるので、レンズカバー６２を遮蔽した後でないとファン１０を停止することができない。
【０１０４】
なお、実施の形態２ではダクトモータを用いず、手動でレンズカバー６２を遮蔽動作させたが、実施の形態１にように、ダクトモータを用いて集塵筒６０を自動で移動させてレンズカバー６２に遮蔽動作及び遮蔽解除動作をさせるようにしてもよい。
【０１０５】
実施の形態１及び２では、集塵筒内に外気を導入して、外気とともに塵埃Ｄを排出させたが、集塵後に集塵筒を取り外して塵埃Ｄを除去するようにしてもよい。この場合、支持案内溝２２ａ、２２ｂの他端４４ａ、４４ｂを無くして、支持案内溝２２ａ、２２ｂの各一端を筐体４の側部に開放するようにするのが好ましい。
また、レンズカバーは側面視Ｌ字状のものを例に挙げたが、側面視コの字状でもよい。側面視コの字状のレンズカバーの場合には、横方向の面のいずれか又は両方にピンを突設させて、ストッパーとすることもできる。
さらに、電子機器として投射型映像表示装置を例に挙げたが、これに限らず、筐体内に外気を導入する型の電子機器又は照明器具であれば、本発明に係る集塵機構を適用することができる。
なお、電子機器は照明器具を含むものとする。
【図面の簡単な説明】
【０１０６】
【図１】実施の形態１に係る集塵機構を備える投射型映像表示装置を示す上方からの斜視図である。
【図２】集塵筒を取り外した投射型映像表示装置の下面を示す下方からの斜視図である。
【図３】集塵機構の一部を示す上方からの斜視図である。
【図４】集塵筒を示す上方からの斜視図である。
【図５】実施の形態１に係る映写時の投射型映像表示装置を示す下方からの斜視図である。
【図６】図５のＶＩ−ＶＩ断面図である。
【図７】塵埃排出時の投射型映像表示装置を示す下方からの斜視図である。
【図８】図７のＶＩＩＩ−ＶＩＩＩ断面図である。
【図９】実施の形態１に係る投射型映像表示装置の一部機能ブロック図である。
【図１０】吸気フィルタによる集塵を示す模式図である。
【図１１】吸気フィルタに付着した塵埃の除去を示す模式図である。
【図１２】塵埃の排出を示す模式図である。
【図１３】実施の形態２に係る集塵筒を示す上方からの斜視図である。
【図１４】集塵筒を取り外した投射型映像表示装置の下面を示す下方からの斜視図である。
【図１５】実施の形態２に係る映写時の投射型映像表示装置を示す下方からの斜視図である。
【図１６】塵埃排出時の投射型映像表示装置を示す下方からの斜視図である。
【図１７】実施の形態２に係る吸気フィルタによる集塵を示す模式図である。
【図１８】吸気フィルタに付着した塵埃の除去を示す模式図である。
【図１９】塵埃の排出を示す模式図である。
【符号の説明】
【０１０７】
２  投射型映像表示装置
４  筐体
６  投射レンズ
８  排気孔
１０  ファン
１２  案内路（凹部）
１４  吸気孔
１５  吸気フィルタ（フィルタ）
１６  塵埃案内孔
２０  集塵筒
２２ａ、２２ｂ  支持案内溝
２４  外気送出孔（第２開口部）
２５  塵埃除去突起
２６  塵埃排出孔（第３開口部）
２８  集塵筒用吸気孔（第１開口部）
３０ａ、３０ｂ、３２ａ、３２ｂ  ピン（凸部）
５０  制御部
５２  ダクトモータ駆動部（第２駆動部）
５４  ファンモータ駆動部（第１駆動部）
６２  レンズカバー
７０  ピン
７４  案内溝
８０  ファンスイッチ（スイッチ）
【図１】
2008170808.tif 000003
【図２】
2008170808.tif 000004
【図３】
2008170808.tif 000005
【図４】
2008170808.tif 000006
【図５】
2008170808.tif 000007
【図６】
2008170808.tif 000008
【図７】
2008170808.tif 000009
【図８】
2008170808.tif 000010
【図９】
2008170808.tif 000011
【図１０】
2008170808.tif 000012
【図１１】
2008170808.tif 000013
【図１２】
2008170808.tif 000014
【図１３】
2008170808.tif 000015
【図１４】
2008170808.tif 000016
【図１５】
2008170808.tif 000017
【図１６】
2008170808.tif 000018
【図１７】
2008170808.tif 000019
【図１８】
2008170808.tif 000020
【図１９】
2008170808.tif 000021